(57)【要約】      （修正有）【課題】手指の不自由な人でもその本体部分をしっかり把持できるとともに、その本体部分から容易に手指を離すことができるように改良された補助具を提供する。【解決手段】日常使用する道具を手指の不自由な人が使用できるように補助するための補助具であって、道具を保持する保持部を有した、手指の不自由な人が把持する本体部分１と、本体部分１の表面に配設された、粘着性を有する弾性部材２と、を備えている。これにより、手指の不自由な人が本体部分１を把持すると、粘着性を有した弾性部材２が手指に粘着するから、手指の不自由な人が本体部分を確実に把持することができる。さらに、粘着性を有した弾性部材２を球体とすることにより、本体部分から容易に手指を離すことができる。【選択図】図１
2014094242.tif 000002
【特許請求の範囲】
【請求項１】
日常使用する道具を手指の不自由な人が使用できるように補助するための補助具であって、
前記道具を保持する保持部を有した、手指の不自由な人が把持する本体部分と、
前記本体部分の表面に配設された、粘着性を有する弾性部材と、
を備えることを特徴とする手指用補助具。
【請求項２】
前記本体部分は、前記道具を保持した状態で前記補助具を水平面上に載置可能な底面を有していることを特徴とする請求項１に記載した手指用補助具。
【請求項３】
前記粘着性を有する弾性部材は、前記補助具が水平面上に載置されたときに水平に延びる支軸の回りに回転可能に支持されてその一部が前記本体部分の表面から突出する球体であることを特徴とする請求項１または２記載した手指用補助具。
【請求項４】
前記粘着性を有する弾性部材は、前記補助具が水平面上に載置されたときに水平に延びる支軸の回りに回転可能に支持されてその一部が前記本体部分の表面から突出する球体の一部であり、
かつ前記球体のうち前記粘着性を有する弾性部材からなる部分が前記本体部分の表面から突出する回転位置となるように前記球体を回転方向に付勢する付勢手段を有することを特徴とする請求項２に記載した手指用補助具。
【請求項５】
前記本体部分が水平面上に載置されたときに水平方向にスライド自在であり、その先端が前記粘着性を有する弾性部材から形成されているスライド部材と、
前記スライド部材の先端が前記本体部分の表面から突出するように前記スライド部材を付勢する付勢手段と、
前記本体部分を水平面上に載置したときに前記スライド部材の先端を前記本体部分の内部に後退させる駆動手段と、を有することを特徴とする請求項２に記載した手指用補助具。
【発明の詳細な説明】
【技術分野】
【０００１】
本発明は、手指の不自由な人がスプーンやフォーク、筆記具等を容易に使用できるように補助するための補助具に関し、より詳しくは、手指で確実に把持できるとともに手指を容易に離すことができるように改良された補助具に関する。
【背景技術】
【０００２】
従来、手指の不自由な人がスプーンやフォーク、筆記具等を容易に使用できるように補助するための補助具が提案されている。
【０００３】
例えば、下記特許文献１に記載されている「手障害者用補助具」は、弾性素材よりなる支持具本体に小径のネック部を設けることにより支持具本体を容易に把持できるようにし、手指の不自由な人でも化粧ブラシ、スプーンやフォーク、鉛筆等を容易に使用できるようにしている。
【０００４】
また、下記特許文献２に記載されている「介護用グリップ」は、グリップの側面に手指用の凹溝を設けることにより、グリップを確実に把持できるようにしている。
【０００５】
さらに、下記特許文献３に記載されている「指用補助具」は、弾力性を有する握り部から複数本の棒を突出させることにより、手指の症状に合わせて握り部を握ることができるようにしている。
【先行技術文献】
【特許文献】
【０００６】
【特許文献１】特開２００５−１１１９５９号公報
【特許文献２】特開２００２−８５４８６号公報
【特許文献３】特開２００５−４６３３２号公報
【発明の概要】
【発明が解決しようとする課題】
【０００７】
ところが、上記特許文献１，２に記載されている補助具は、単に補助具の本体部分に小径のネック部や凹溝を設けたものである。これにより、手指の不自由な人が補助具の本体部分をしっかりと把持できない場合には、その利用が困難である。
【０００８】
また、上記特許文献３に記載されている補助具は、握り部から複数本の棒が突出する構造であるため、手指の不自由な人が握り部から指を離すことが困難である。
【０００９】
そこで本発明の目的は、手指の不自由な人でもその本体部分をしっかり把持できるとともに、その本体部分から容易に手指を離すことができるように改良された補助具を提供することにある。
【課題を解決するための手段】
【００１０】
上記の課題を解決する本発明は、
日常使用する道具を手指の不自由な人が使用できるように補助するための補助具であって、
前記道具を保持する保持部を有した、手指の不自由な人が把持する本体部分と、
前記本体部分の表面に配設された、粘着性を有する弾性部材と、
を備えることを特徴とする。
ここで、日常使用する道具にはスプーン、フォーク、ナイフ、箸等の食事用器具、筆記具等を含めることができる。
また、道具を保持する保持部は、道具の基端部を挿入可能な穴や切り込みとすることができる。
さらに、粘着性を有する弾性部材として、シリコーンゲル、アクリルゲル、ウレタンゲルを用いることができる。
【００１１】
すなわち、本発明の手指用補助具は、手指の不自由な人が把持する本体部分の表面に粘着性を有する弾性部材を配設したものである。
これにより、手指の不自由な人が本体部分を把持すると、粘着性を有した弾性部材が手指に粘着するから、手指の不自由な人が本体部分を確実に把持することができる。
【００１２】
また、前記本体部分は、前記道具を保持した状態で前記本体部分を水平面上に載置可能な底面を有する。
これにより、本体部分を水平面上に載置することができるから、手指の不自由な人が本体部分を容易に把持することができる。
なお、前記本体部分の底部に大径の鍔部を設けて底面を拡大することができる。
【００１３】
また、本発明の補助具においては、前記粘着性を有する弾性部材を、前記補助具が水平面上に載置されたときに水平に延びる支軸の回りに回転可能に支持されてその一部が前記本体部分の表面から突出する球体とすることができる。
【００１４】
すなわち、本発明の手指用補助具によれば、手指の不自由な人が本体部分を把持するときには、粘着性を有する球体が本体部分の表面から突出していて手指に粘着するので、本体部分を容易に把持することができる。
また、手指の不自由な人が本体部分から手指を離したいときには、本体部分の表面上で手指をスライドさせると、手指の表面が粘着性を有していない本体部分の表面の上に移動するので、本体部分から容易に手指を離すことができる。
【００１５】
さらに、本発明の補助具においては、前記粘着性を有する弾性部材を、前記補助具が水平面上に載置されたときに水平に延びる支軸の回りに回転可能に支持されてその一部が前記本体部分の表面から突出する球体の一部としつつ、
前記球体のうち前記粘着性を有する弾性部材からなる部分が前記本体部分の表面から突出する回転位置となるように前記球体を回転方向に付勢する付勢手段を設けることができる。
【００１６】
すなわち、本発明の手指用補助具においては、手指の不自由な人が本体部分を把持するときには、球体のうち粘着性を有する弾性部材が本体部分の表面から突出していて手指に粘着するので、本体部分を容易に把持することができる。
また、手指の不自由な人が本体部分から手指を離したいときには、本体部分を水平面上に載置した状態で手指を水平面上側に移動させると、球体が回転し、粘着性を有する弾性部材ではない部分が本体部分の表面から突出して手指に粘着しなくなるので、本体部分から容易に手指を離すことができる。
【００１７】
さらに、本発明の手指用補助具は、前記補助具が水平面上に載置されたときに水平方向にスライド自在であり、その先端が前記粘着性を有する弾性部材から形成されているスライド部材と、
前記スライド部材の先端が前記本体部分の表面から突出するように前記スライド部材を付勢する付勢手段と、
前記本体部分を水平面上に載置したときに前記スライド部材の先端を前記本体部分の内側に後退させる駆動手段と、を有することができる。
【００１８】
すなわち、本発明の手指用補助具においては、手指の不自由な人が本体部分を把持するときには、粘着性を有する弾性部材から形成されているスライド部材の先端が本体部分の表面から突出していて手指に粘着するので、本体部分を容易に把持することができる。
また、手指の不自由な人が本体部分から手指を離したいときには、本体部分を水平面上に載置すると、駆動手段がスライド部材を駆動してその先端を本体部分の内側に後退させるので、粘着性を有する弾性部材から形成されているスライド部材の先端が手指に粘着しなくなり、本体部分から容易に手指を離すことができる。
【発明の効果】
【００１９】
本発明によれば、手指の不自由な人でもその本体部分をしっかり把持できるとともに、その本体部分から容易に手指を離すことができるように改良された補助具を提供することができる。
【図面の簡単な説明】
【００２０】
【図１】(ａ)(ｂ)第１実施形態の手指用補助具を示す斜視図。
【図２】第２実施形態の手指用補助具を示す斜視図。
【図３】第３実施形態の手指用補助具を示す要部断面図。
【図４】第４実施形態の手指用補助具を示す要部断面図。
【図５】第５実施形態の手指用補助具を示す斜視図。
【図６】第５実施形態の手指用補助具の作動を示す断面図。
【図７】第５実施形態の手指用補助具を作動を示す断面図。
【発明を実施するための形態】
【００２１】
以下、図１〜図７を参照し、本発明の手指用補助具の各実施形態について詳細に説明する。
【００２２】
(第１実施形態)
図１に示した第１実施形態の手指用補助具は、シリコーンゲル、アクリルゲル、ウレタンゲル等から形成されて粘着性を有する多数の弾性部材としての略球状の本体部分１と、この本体部分１に一体的に形成され、同じく粘着性を有する多数の弾性部材としての取付部２とからなる。
前記本体部分１は、手指の不自由な人が把持する部分であり、その大きさは人の手でちょうど覆える程度(図１(ａ)参照)、または指で挟める程度(図１(ｂ)参照)の大きさにされている。また略球状であり、かつ粘着性があるため、手指の不自由な人でも容易に把持ができる。
前記取付部２は、スプーン、フォーク、ナイフ、箸等の食事用器具、筆記具等の日常使用する道具を、その粘着性によって取り付けするための部位である。
また、前記取付部２は、所謂弾性部材であるため、前記道具の形状に合わせて、例えば図１(ｂ)にように伸ばしたり、曲げたりすることができるため、該道具を容易かつ確実に取り付けることができる。
【００２３】
これにより、手指の不自由な人が本体部分１を把持すると、その粘着性により手指に粘着するから、手指の不自由な人が本体部分１を確実に把持することができるため、本体部分１と一体的に形成されている取付部２が保持している食事用器具、筆記具等を容易に使用し得る。
なお、本第１実施形態は、本体部分１および取付部２の双方とも粘着性を有するが、本発明はこれに限定されるものではなく、例えば前記本体部分１および取付部２については単なる弾性部材として、(道具が接触的に取り付けられる)取付部２の底面だけ粘着性を与えるようにしてもよい。
【００２４】
(第２実施形態)
図２に示した第２実施形態の手指用補助具は、ウレタン等の弾性部材からなる筒状の本体部分１に、スプーン、フォーク、ナイフ、箸等の食事用器具、筆記具等の日常使用する道具の基端部を挿入可能な穴２を貫設したものである。また、本体部分１の底部には、テーブル等の水平面上に本体部分１を載置可能とする鍔部３が一体的に設けられている。
さらに、本体部分１の表面には、シリコーンゲル、アクリルゲル、ウレタンゲル等から略半球状に形成されて粘着性を有する多数の弾性部材４が突設されている。
【００２５】
これにより、手指の不自由な人が本体部分１を把持すると、その表面部分に突設されている粘着性を有した弾性部材４が手指に粘着するから、手指の不自由な人が本体部分１を確実に把持することができる。
【００２６】
(第３実施形態)
図３にその要部断面を拡大して示した第３実施形態の手指用補助具は、図２に示した第２実施形態の手指用補助具における粘着性を有した弾性部材４を、シリコーンゲル、アクリルゲル、ウレタンゲル等から成形した球体５に置き換るとともに、本体部分１に設けた貫通孔１ａの内部に配設したものである。
そして、各球体５は、本体部分１を水平面上に載置したときに水平に延びる支軸６の回りで回転可能に貫通孔１ａの内部に支持されて、その一部が本体部分１の表面から突出している。
【００２７】
これにより、手指の不自由な人が本体部分１を把持するときには、粘着性を有する弾性部材からなる球体５が本体部分１の表面から突出していて手指に粘着するので、本体部分１を容易に把持することができる。
これに対して、手指の不自由な人が本体部分１から手指を離したいときには、本体部分１を水平面上に載置した状態としつつ、本体部分１の表面上で手指を下方にスライドさせると、粘着性を有していない本体部分１の表面上に手指が移動するので、本体部分１から容易に手指を離すことができる。
【００２８】
(第４実施形態)
図４に示した第４実施形態の手指用補助具は、第３実施形態の手指用補助具における球体５を、支軸６を含む平面で切断したときの半分が粘着性を有した弾性部材から形成しつつ、残り半分を粘着性を有しない弾性部材から形成して、本体部分１の貫通孔１ａの内部に配設したものである。
さらに、支軸６の半分をＬ字型に折れ曲がった支軸７に交換するとともに、支軸７に付勢手段としてのねじりばね８を取り付けている。
これにより、球体５のうち粘着性を有する弾性部材から形成した部分は、ねじりばね８によって回転方向に付勢されて、本体部分１の表面から突出するが、手指によって操作されたときには支軸６，７の回りに回転して本体部分の内側に回転移動する。
【００２９】
すなわち、この第４実施形態の手指用補助具においては、手指の不自由な人が本体部分１を把持するときには、球体５のうち粘着性を有する弾性部材が本体部分１の表面から突出していて手指に粘着するので、本体部分１を容易に把持することができる。
これに対して、手指の不自由な人が本体部分１から手指を離したいときには、本体部分１を水平面上に載置した状態で手指を下方に移動させると、球体５が回転し、粘着性を有しない部分が本体部分１の表面から突出して手指に粘着しなくなるので、本体部分１から容易に手指を離すことができる。
そして、手指の不自由な人が本体部分１から手指を離すと、ねじりばね８の付勢力によって球体５が回転し、粘着性を有する部分が再び本体部分１の表面から突出する。
これにより、手指の不自由な人が再び本体部分１を把持するときには、球体５のうち粘着性を有する部分が手指に粘着するから、本体部分１を容易に把持することができる。
【００３０】
(第５実施形態)
図５〜図７に示した第５実施形態の手指用補助具は、第３および第４実施形態における球体５を、スライド部材に置き換えたものである。
具体的に説明すると、この第５実施形態の手指用補助具は、ウレタン等の弾性部材からなる筒状の本体部分１０に、スプーン、フォーク、ナイフ、箸等の食事用器具、筆記具等の日常使用する道具の基端部を挿入可能な穴１１を貫設したものである。
そして、本体部分１０の底部には、テーブル等の水平面上に本体部分１０を載置可能とする鍔部１２が一体的に設けられている。
【００３１】
また、本体部分１０の左右の側面に貫設されたスライド穴には、本体部分１０が水平面上に載置されたときに水平方向にスライド自在であり、その先端が粘着性を有する弾性部材から形成されているスライド部材１３が装着されている。
さらに、水平方向に互いに対向する左右一対のスライド部材１３の間にはコイルばね（付勢手段）１４が介装され、左右一対のスライド部材１３の先端が本体部分１の表面から突出するように付勢している。
【００３２】
加えて、本体部分１０の内部には、各スライド部材１３とそれぞれ係合するカム部材（駆動手段）１５が設けられている。
このカム部材１５は、図６に示したように鍔部１２がテーブル等の水平面に接触していないときには、本体部分１０に対して下方に移動し、各スライド部材１３から離間する。これにより、各スライド部材１３はコイルばね１４によって付勢されて、その先端が本体部分１０の表面から突出する。
これに対して、図７に示したように鍔部１２をテーブル等の水平面に接触させつつ本体部分１０を水平面の側に移動させると、カム部材１５が各スライド部材１３と係合する。これにより、各スライド部材１３はコイルばね１４の付勢力に抗して本体部分１０の内部に押動されるので、その先端は本体部分１０の内部に向かって後退する。
【００３３】
すなわち、本第５実施形態の手指用補助具においては、手指の不自由な人が本体部分１０を把持するときには、スライド部材１３のうち粘着性を有した弾性部材から形成されている先端部分が本体部分１０の表面から突出していて手指に粘着するので、本体部分１０を容易に把持することができる。
また、手指の不自由な人が本体部分１０から手指を離したいときには、本体部分１０を水平面上に載置すると、カム部材１５がスライド部材１３を駆動してその先端を本体部分１０の内部に後退させるので、スライド部材の先端が手指に粘着しなくなり、本体部分１０から容易に手指を離すことができる。
【符号の説明】
【００３４】
１，１０  本体部分
２，１１，穴
３，１２  鍔部
４  粘着性を有する弾性体
５  球体
１３  スライド部材
１４  コイルばね（付勢手段）
１５  カム部材（駆動手段）
【図１】
2014094242.tif 000003
【図３】
2014094242.tif 000004
【図４】
2014094242.tif 000005
【図６】
2014094242.tif 000006
【図７】
2014094242.tif 000007
【図２】
2014094242.tif 000008
【図５】
2014094242.tif 000009